(57)【要約】【課題】コイル巻線用のボビン１において、巻き始めのコイル端部４が巻き始め保持面２２に密着しやすくすることにある。【解決手段】ボビン１によれば、端部保持部７の他端面に形成される巻き始め保持面２２は、基準平面との距離が径方向の外側に向かい大きくなっている。これにより、巻き始め保持面２２には、従来のように軸方向に対し垂直に形成される場合よりも、軸方向一方側に引き出されるコイル端部４が密着しやすくなる。【選択図】図２
2007180175.tif 000002
【特許請求の範囲】
【請求項１】
コイルが巻線される巻線部を備え、前記コイルの巻き始めのコイル端部が、前記巻線部の軸方向一方側に引き出されるコイル巻線用ボビンにおいて、
前記巻線部の軸方向一方側に設けられ、前記巻き始めのコイル端部を保持する端部保持部を備え、
前記端部保持部の他端面の一部は、軸方向一方側に後退して第１の段をなし、
前記端部保持部は、前記第１の段により区画される２面の内、軸方向一方側に後退する面の前記第１の段に沿う部分で、前記巻き始めのコイル端部を保持し、
前記第１の段に沿う部分は、前記巻線部の軸方向に垂直であって前記巻線部を垂直に切断する基準平面を想定したときに、前記基準平面との距離が径方向の外側に向かい大きくなることを特徴とするコイル巻線用ボビン。
【請求項２】
請求項１に記載のコイル巻線用ボビンにおいて、
前記端部保持部は、前記第１の段に沿う部分に保持された前記巻き始めのコイル端部を、軸方向他方側から覆うリブを有することを特徴とするコイル巻線用ボビン。
【請求項３】
請求項１または請求項２に記載のコイル巻線用ボビンにおいて、
前記コイルの巻き始めおよび前記コイルの巻き終りの両方のコイル端部が、前記巻線部の軸方向一方側に引き出され、
前記端部保持部の他端面は、前記第１の段とは別の部分で軸方向一方側に後退して第２の段をなし、
前記端部保持部は、前記第２の段により区画される２面の内、軸方向一方側に後退する面の前記第２の段に沿う部分で、前記巻き終りのコイル端部を保持し、
前記第２の段に沿う部分は、前記基準平面との距離が径方向の外側に向かい大きくなることを特徴とするコイル巻線用ボビン。
【請求項４】
請求項１ないし請求項３に記載のコイル巻線用ボビンにおいて、
前記端部保持部は、軸方向一方側に引き出された前記巻き始めのコイル端部が係合する溝が設けられていることを特徴とするコイル巻線用ボビン。
【請求項５】
請求項１ないし請求項４に記載のコイル巻線用ボビンの前記巻線部に前記コイルが巻線されたソレノイド装置。
【請求項６】
請求項５に記載のソレノイド装置をアクチュエータとする電磁スプール弁。
【発明の詳細な説明】
【技術分野】
【０００１】
本発明は、主に、電磁スプール弁のアクチュエータに用いられるソレノイド装置のコイル巻線用ボビンに関する。
【背景技術】
【０００２】
〔従来の技術〕
従来から、自動変速機における油圧回路の切替や、バルブ可変タイミング装置における油圧の供給等に電磁スプール弁が用いられている。そして、電磁スプール弁のアクチュエータに用いられるソレノイド装置は、所定のコイル巻線用ボビン（以下、ボビンと略す）にコイルを巻線することで構成されている。
【０００３】
この従来のボビン１００は、図５に示すように、コイル１０１が巻線される巻線部１０２と、巻線部１０２の一端に設けられ巻き始めおよび巻き終りのコイル端部１０３、１０４を保持するとともに端子１０５が装着される端部保持部１０６とを備える。ここで、コイル端部１０３は、コイル１０１の巻線により形成されるコイル部１０７の一端面の最内周から引き出され、コイル端部１０４は、コイル部１０７の一端面の最外周から引き出される。そして、コイル１０１の外周に配置されたヨーク１０８を円弧状に切り欠き、端部保持部１０６を突出させるとともに、コイル端部１０３、１０４を軸方向一方側に引き出し、端子１０５に接続する。
【０００４】
ところで、図５に示すボビン１００は、コイル端部１０３、１０４を交差させずに引き出す構造（非交差構造）を採用するものである。これに対し、図６に示すように、コイル端部１０３、１０４を交差させて引き出す構造（交差構造）も、次の理由により広く採用されている。すなわち、ヨーク１０８の円周に占める切り欠き部の割合（切欠割合）が高いほど磁気損失が大きくなる。このため、ヨーク１０８の円周が小さく切欠割合が高い場合、交差構造が採用される（例えば、特許文献１参照）。
【０００５】
そして、非交差、交差構造のいずれを採用する場合でも、端部保持部１０６の他端面を少なくとも１ヶ所で軸方向一方側に後退させて１つの段１０９を設ける。そして、例えば、図６に示すように、段１０９により区画される２面の内、軸方向一方側に後退する面の段１０９に沿う部分１１０にコイル端部１０３を保持させる（以下、部分１１０を巻き始め保持面１１０と呼ぶ）。これにより、コイル部１０７の一端面とコイル端部１０３とが擦れ合うのを防止し、コイル皮膜が破損する虞を低減している。
【０００６】
〔従来技術の不具合〕
しかし、巻き始め保持面１１０は、軸方向に対し垂直に形成されているため、コイル端部１０３は、軸方向一方側に引き出されると巻き始め保持面１１０に密着しにくくなり、軸方向他方側に膨らみやすくなる。また、コイル部１０７の一端面は、コイル１０１が巻線されコイル部１０７が形成されるにつれて、軸方向一方側に押し出される。このため、コイル端部１０３とコイル部１０７の一端面とが擦れ合うのを完全に防止するのは難しい。さらに、交差構造の場合には、コイル端部１０３、１０４同士が交差して擦れ合う虞が極めて高い。
【０００７】
さらに、コイル端部１０３が巻き始め保持面１１０に密着しにくいことから、コイル端部１０３は弛みやすい。そして、コイル端部１０３が弛んだ状態で樹脂モールド成形されると、溶融樹脂の圧力により断線が発生しやすくなる。
【特許文献１】特開２００４−１４０１５４号公報
【発明の開示】
【発明が解決しようとする課題】
【０００８】
本発明は、上記の問題点を解決するためになされたものであり、その目的は、巻き始めのコイル端部が巻き始め保持面に密着しにくいことから生じる弊害（巻き始めのコイル端部とコイル部の一端面との擦れ合い、巻き始めのコイル端部と巻き終りのコイル端部との擦れ合い、および巻き始めのコイル端部の樹脂モールド時の断線等）の虞を低減することにある。
【課題を解決するための手段】
【０００９】
〔請求項１の手段〕
請求項１に記載のボビンは、コイルが巻線される巻線部を備え、コイルの巻き始めのコイル端部が、巻線部の軸方向一方側に引き出される。また、このボビンは、巻線部の軸方向一方側に設けられ、巻き始めのコイル端部を保持する端部保持部を備える。そして、端部保持部の他端面の一部は、軸方向一方側に後退して第１の段をなし、端部保持部は、第１の段により区画される２面の内、軸方向一方側に後退する面の第１の段に沿う部分で、巻き始めのコイル端部を保持する。そして、第１の段に沿う部分（つまり、巻き始め保持面）は、巻線部の軸方向に垂直であって巻線部を垂直に切断する基準平面を想定したときに、基準平面との距離が径方向の外側に向かい大きくなる。
これにより、巻き始めのコイル端部は、軸方向一方側に引き出されたときに、従来よりも巻き始め保持面に密着しやすくなる。つまり、従来のように軸方向に対し垂直に形成された巻き始め保持面よりも、基準平面との距離が径方向の外側に向かい大きくなる巻き始め保持面の方が、巻き始めのコイル端部が密着しやすくなる。このため、巻き始めのコイル端部が巻き始め保持面に密着しにくいことから生じる弊害の虞を低減することができる。
【００１０】
〔請求項２の手段〕
請求項２に記載のボビンによれば、端部保持部は、第１の段に沿う部分に保持された巻き始めのコイル端部を、軸方向他方側から覆うリブを有する。
これにより、巻き始めのコイル端部は、さらに、巻き始め保持面に密着しやすくなる。また、交差構造を採用する場合、巻き始めのコイル端部と巻き終りのコイル端部との擦れ合いを確実に防止することができる。
【００１１】
〔請求項３の手段〕
請求項３に記載のボビンによれば、コイルの巻き始めおよびコイルの巻き終りの両方のコイル端部が、巻線部の軸方向一方側に引き出される。そして、端部保持部の他端面は、第１の段とは別の部分で軸方向一方側に後退して第２の段をなす。また、端部保持部は、第２の段により区画される２面の内、軸方向一方側に後退する面の前記第２の段に沿う部分で、巻き終りのコイル端部を保持し、第２の段に沿う部分は、基準平面との距離が径方向の外側に向かい大きくなる。
これにより、軸方向一方側に引き出される巻き終りのコイル端部が、第２の段に沿う部分に密着しやすくなる。つまり、この第２の段に沿う部分を、巻き終りのコイル端部を保持する巻き終り保持面とすれば、巻き終り保持面に巻き終りのコイル端部を密着させやすくすることができる。このため、巻き始め、巻き終りの両方のコイル端部を、それぞれ、巻き始め、巻き終り保持面に密着させやすくすることができる。
【００１２】
〔請求項４の手段〕
請求項４に記載のボビンによれば、端部保持部は、軸方向一方側に引き出された巻き始めのコイル端部が係合する溝が設けられている。
これにより、巻き始めのコイル端部を端子に接続する等、巻き始めのコイル端部を引き出した後の加工を行いやすくなる。
【００１３】
〔請求項５の手段〕
請求項５に記載のソレノイド装置は、請求項１ないし請求項４に記載のボビンの巻線部にコイルが巻線されたものである。
【００１４】
〔請求項６の手段〕
請求項６に記載の電磁スプール弁は、請求項５に記載のソレノイド装置をアクチュエータとするものである。
【発明を実施するための最良の形態】
【００１５】
最良の形態１のコイル巻線用ボビンは、コイルが巻線される巻線部を備え、コイルの巻き始めおよびコイルの巻き終りの両方のコイル端部が、巻線部の軸方向一方側に引き出される。また、このコイル巻線用ボビンは、巻線部の軸方向一方側に設けられ、巻き始めのコイル端部を保持する端部保持部を備え、端部保持部の他端面の一部は、軸方向一方側に後退して第１の段をなす。そして、端部保持部は、第１の段により区画される２面の内、軸方向一方側に後退する面の第１の段に沿う部分で、巻き始めのコイル端部を保持する。そして、第１の段に沿う部分は、巻線部の軸方向に垂直であって巻線部を垂直に切断する基準平面を想定したときに、基準平面との距離が径方向の外側に向かい大きくなる。
【００１６】
また、端部保持部は、第１の段に沿う部分に保持された巻き始めのコイル端部を、軸方向他方側から覆うリブを有する。
また、端部保持部の他端面は、第１の段とは別の部分で軸方向一方側に後退して第２の段をなす。そして、端部保持部は、第２の段により区画される２面の内、軸方向一方側に後退する面の第２の段に沿う部分で、巻き終りのコイル端部を保持する。そして、第２の段に沿う部分は、基準平面との距離が径方向の外側に向かい大きくなる。
また、端部保持部は、軸方向一方側に引き出された巻き始めのコイル端部が係合する溝が設けられている。
【実施例１】
【００１７】
〔実施例１の構成〕
実施例１のコイル巻線用ボビン１（以下、ボビン１とする）の構成を、図１ないし図４により説明する。
ボビン１は、コイル２が巻線される巻線部３を備え、コイル２の巻き始めおよびコイル２の巻き終りの両方のコイル端部４、５を巻線部３の軸方向一方側に引き出すものである。また、ボビン１は、コイル端部４、５を交差させて引き出す交差構造を採用するものである。
【００１８】
そして、ボビン１は、巻線部３にコイル２が巻線されて、電磁スプール弁等のアクチュエータであるソレノイド装置をなす。なお、この電磁スプール弁は、自動変速機における油圧回路の切替や、バルブ可変タイミング装置における油圧の供給等に用いられる。
このボビン１は、上記の巻線部３と、コイル端部４、５を保持するとともに、端子６が装着される端部保持部７を備える。
【００１９】
巻線部３は、円筒状に設けられ、外周面には、コイル２を受け止めるための溝が周状に設けられている。そして、巻線部３に、周方向かつ軸方向にコイル２を巻線して円筒状のコイル２の層を形成するとともに、このコイル２の層を外周側に積層することでコイル部１０を形成する。なお、コイル端部４は、コイル部１０の一端面（コイル部一端面１１）の最内周から引き出され、コイル端部５は、コイル部一端面１１の最外周から引き出される。
【００２０】
端部保持部７は、巻線部３の軸方向一方側に設けられ、巻線部３よりも径大の円環板状部１３と、円環板状部１３の外周縁から垂直に突出する突出部１４とからなる。そして、円環板状部１３と突出部１４とに共通して形成される端部保持部７の他端面において、コイル端部４、５が保持される。また、突出部１４の正面視左右両側には、引き出されたコイル端部４、５が係合する溝１５が設けられている。さらに、突出部１４の正面視上端面には、端子６が装着される端子穴１６が開口している。
【００２１】
端部保持部７の他端面の一部は、軸方向一方側に後退して第１の段１９をなし、さらに、第１の段１９とは別の部分も、軸方向一方側に後退して第２の段２０をなす。そして、端部保持部７は、第１の段１９により区画される２面の内、軸方向一方側に後退する面の第１の段１９に沿う部分２２でコイル端部４を保持する（以下、部分２２を巻き始め保持面２２とする）。また、端部保持部７は、第２の段２０により区画される２面の内、軸方向一方側に後退する面の第２の段２０に沿う部分２３でコイル端部５を保持する（以下、部分２３を巻き終り保持面２３とする）。
【００２２】
なお、巻き始め保持面２２は、円環板状部１３の正面視左上側の最内周部から、内周の接線方向に正面視右上側に向けて設けられ、正面視右側の溝１５の近傍まで続いている。また、巻き終り保持面２３は、突出部１４の正面視略中央部から、正面視左上側に向けて設けられ、正面視左側の溝１５の近傍まで続いている。
【００２３】
また、巻き始め保持面２２は、図１（ｂ）に示すように、巻線部３の軸方向に垂直であって巻線部３を垂直に切断する基準平面を想定したときに、基準平面に対して傾斜して設けられている。この結果、巻き始め保持面２２は、図２に示すように、基準平面との距離が径方向の外側に向かい大きくなっている。また、巻き終り保持面２３も、同様に、基準平面に対して傾斜して設けられ、基準平面との距離が径方向の外側に向かい大きくなっている。
【００２４】
また、端部保持部７は、巻き始め保持面２２に保持されたコイル端部４を、軸方向他方側から覆うリブ２５を有する。リブ２５は、正面視右上側の巻き始め保持面２２を覆うように設けられている。
【００２５】
〔実施例１の効果〕
実施例１のボビン１によれば、端部保持部７の他端面に形成される巻き始め、巻き終り保持面２２、２３は、基準平面との距離が径方向の外側に向かい大きくなっている。
これにより、巻き始め、巻き終り保持面２２、２３には、従来のように軸方向に対し垂直に形成される場合よりも、軸方向一方側に引き出されるコイル端部４、５が密着しやすくなる。このため、コイル端部４、５が巻き始め、巻き終り保持面２２、２３に密着しにくいことから生じる弊害（コイル端部４とコイル部一端面１１との擦れ合い、コイル端部４、５同士の擦れ合いおよびコイル端部４の樹脂モールド時の断線等）の虞を低減することができる。
【００２６】
また、端部保持部７は、巻き始め保持面２２の正面視右上側の部分を、軸方向他方側から覆うリブ２５を有する。
これにより、コイル端部４を、巻き始め保持面２２に、より密着させやすくなるとともに、コイル端部５を、リブ２５の軸方向他方側に配置することができる。このため、交差構造を採用しても、コイル端部４、５同士の擦れ合いを確実に防止することができる。
【００２７】
また、端部保持部７は、軸方向一方側に引き出されたコイル端部４、５が係合する溝１５を有する。
これにより、コイル端部４、５を端子６に接続する等、コイル端部４、５を引き出した後の加工を行いやすくなる。
【００２８】
〔変形例〕
本実施例のボビン１は、コイル端部４、５が両方とも、巻線部３の軸方向一方側に引き出されるものであったが、コイル端部４、５のいずれか一方が、巻線部３の軸方向一方側に引き出されるものであっても、軸方向一方側に引き出したコイル端部４、５の一方について、巻き始め、巻き終り保持面２２、２３に密着しにくいことから生じる弊害の虞を低減することができる。
【００２９】
本実施例のボビン１は、コイル端部４、５を交差させて引き出す交差構造を採用するものであったが、コイル端部４、５を交差させずに引き出す非交差構造を採用するものであっても、コイル端部４、５の少なくとも一方が、巻き始め、巻き終り保持面２２、２３に密着しにくいことから生じる弊害の虞を低減することができる。
【００３０】
本実施例のボビン１によれば、リブ２５は、巻き始め保持面２２の一部を覆うものであったが、リブ２５により巻き終り保持面２３の一部を覆い、リブ２５の軸方向他方側に巻き始めのコイル端部４を配置するようにしてもよい。
【図面の簡単な説明】
【００３１】
【図１】（ａ）はボビンにコイルが巻線された状態を示す正面図であり、（ｂ）はボビンにコイルが巻線された状態を示す部分平面図である（実施例１）。
【図２】ボビンにコイルが巻線された状態を示す側面断面図である（実施例１）。
【図３】（ａ）はボビンの正面図であり、（ｂ）はボビンの側面図である（実施例１）。
【図４】ボビンの斜視図である（実施例１）。
【図５】ボビンにコイルが巻線された状態を示す正面図である（従来例）。
【図６】（ａ）はボビンの正面図であり、（ｂ）はボビンにコイルが巻線された状態を示す正面図であり、（ｃ）はボビンにコイルが巻線された状態を示す部分平面図である（従来例）。
【符号の説明】
【００３２】
１  ボビン（コイル巻線用ボビン）
２  コイル
３  巻線部
４  コイル端部（巻き始めのコイル端部）
５  コイル端部（巻き終りのコイル端部）
７  端部保持部
１５  溝
１９  第１の段
２０  第２の段
２２  巻き始め保持面（第１の段に沿う部分）
２３  巻き終り保持面（第２の段に沿う部分）
２５  リブ
【図１】
2007180175.tif 000003
【図２】
2007180175.tif 000004
【図３】
2007180175.tif 000005
【図４】
2007180175.tif 000006
【図５】
2007180175.tif 000007
【図６】
2007180175.tif 000008